(57)【要約】【課題】点灯検査の所要時間を短縮する。【解決手段】画面の点灯状態の良否を判定するために、画面内の全セルを点灯すべきセルとする第１サブフレームと全セルを点灯すべきでないセルとする第２サブフレームの両方または片方から構成されるフレームが繰り返し表示される。第１サブフレームを表示するために、各セルにおける走査維持電極とアドレス電極との間に書込みアドレッシングのための壁電荷を形成するアドレッシング準備操作と、複数のアドレス電極を一括して非選択電位に保った状態でセルにライン順次にスキャンパルスを印加する全面アドレッシング操作と、セルに一斉にサステインパルスを印加するサステイン操作とを順が順に行われる。第２サブフレームを表示するために、画面内の各セルにおける走査維持電極とアドレス電極との間に残存する壁電荷を減少させるリセット操作と、全面アドレッシング操作と、サステイン操作とが順に行われる。【選択図】図３
2010073596.tif 000002
【特許請求の範囲】
【請求項１】
ガス封入空間を挟む第１基板および第２基板、前記第１基板上に平行に配列されて画面内にマトリクス表示の表示ラインを定める複数の維持電極および複数の走査維持電極、前記維持電極および走査維持電極を被覆する第１絶縁体層、前記第２基板上に配列されて前記維持電極および走査維持電極と交差する複数のアドレス電極、および前記アドレス電極を被覆する第２絶縁体層を有し、前記複数のアドレス電極のそれぞれに前記画面を構成する発色の異なる３種のセルのうちの１種のセルが対応するプラズマディスプレイパネルの点灯検査方法であって、
前記画面の点灯状態の良否を判定するために、前記画面内の全セルを点灯すべきセルとする２値画像である第１サブフレームと前記画面内の全セルを点灯すべきでないセルとする２値画像である第２サブフレームの両方または片方から構成されるフレームを繰り返し表示し、その際に
前記第１サブフレームを表示するために、前記画面内の各セルにおける走査維持電極とアドレス電極との間に書込みアドレッシングのための壁電荷を形成するアドレッシング準備操作と、前記複数のアドレス電極を一括して非選択電位に保った状態で前記画面内のセルにライン順次にスキャンパルスを印加する全面アドレッシング操作と、前記画面内のセルに一斉にサステインパルスを印加するサステイン操作とを順に行い、かつ
前記第２サブフレームを表示するために、前記画面内の各セルにおける走査維持電極とアドレス電極との間に残存する壁電荷を減少させるリセット操作と、前記全面アドレッシング操作と、前記サステイン操作とを順に行う
ことを特徴とするプラズマディスプレイパネルの点灯検査方法。
【請求項２】
前記フレームを表示する期間の全体にわたって前記アドレス電極を前記非選択電位に保つ
請求項１に記載のプラズマディスプレイパネルの点灯検査方法。
【請求項３】
前記非選択電位は電源の接地端子の電位であり、前記アドレス電極を前記接地端子に接続した状態で前記フレームを表示する
請求項２に記載のプラズマディスプレイパネルの点灯検査方法。
【請求項４】
前記複数のアドレス電極を、これらの端部を導体で接続することによって、電気的に共通化する
請求項２に記載のプラズマディスプレイパネルの点灯検査方法。
【請求項５】
前記第１サブフレームと前記第２サブフレームとを交互に表示する
請求項２に記載のプラズマディスプレイパネルの点灯検査方法。
【請求項６】
前記フレームにおける第１サブフレームと第２サブフレームの組合せを任意に切り替える
請求項２に記載のプラズマディスプレイパネルの点灯検査方法。
【請求項７】
ガス封入空間を挟む第１基板および第２基板、前記第１基板上に平行に配列されて画面内にマトリクス表示の表示ラインを定める複数の維持電極および複数の走査維持電極、前記維持電極および走査維持電極を被覆する第１絶縁体層、前記第２基板上に配列されて前記維持電極および走査維持電極と交差する複数のアドレス電極、および前記アドレス電極を被覆する第２絶縁体層を有し、前記複数のアドレス電極のそれぞれに前記画面を構成する発色の異なる３種のセルのうちの１種のセルが対応するプラズマディスプレイパネルの点灯検査に使用される検査用表示装置であって、
前記維持電極に駆動パルスを印加するＸドライバと、
前記走査維持電極に駆動パルスを印加するＹドライバと、
前記画面内の全セルを点灯すべきセルとする２値画像である第１サブフレームと前記画面内の全セルを点灯すべきでないセルとする２値画像である第２サブフレームの両方または片方から構成されるフレームを繰り返し表示するように、前記ＸドライバおよびＹドライバを制御するコントローラとを備え、
前記コントローラは、
前記画面内の各セルにおける走査維持電極とアドレス電極との間に書込みアドレッシングのための壁電荷を形成するアドレッシング準備操作と、前記複数のアドレス電極を一括して非選択電位に保った状態で前記画面内のセルにライン順次にスキャンパルスを印加する全面アドレッシング操作と、前記画面内のセルに一斉にサステインパルスを印加するサステイン操作とを前記ＸドライバおよびＹドライバに行わせる、前記第１サブフレームを表示するための制御部と、
前記画面内の各セルにおける走査維持電極とアドレスとの間に残存する壁電荷を減少させるリセット操作と、前記全面アドレッシング操作と、前記サステイン操作とを前記ＸドライバおよびＹドライバに行わせる、前記第２サブフレームを表示するための制御部と有する
ことを特徴とする検査用表示装置。
【発明の詳細な説明】
【技術分野】
【０００１】
本発明は、カラー表示の可能なＡＣ型のプラズマディスプレイパネルの点灯検査方法および検査用表示装置に関する。
【背景技術】
【０００２】
プラズマディスプレイパネルは、前面基板と背面基板とに挟まれかつ隔壁で区画されたガス封入空間をもち、ガス放電によって赤、緑および青の３色の紫外線励起型蛍光体を選択的に発光させてカラー表示を行う。蛍光体を発光させる表示放電は、いわゆる面放電形式の放電（以下、これを面放電という）である。面放電はマトリクス表示領域である画面の水平方向に沿って平行に延びる第１および第２の表示電極の電極間で生じる。表示電極は一般に前面基板に配列され、マトリクス表示の行にそれぞれ対応する表示ラインを画面内に定める。画面には表示ラインと交差するようにアドレス電極が配列され、表示ラインとアドレス電極との交点のそれぞれに表示素子であるセルが対応する。
【０００３】
典型的な画面の色配列は、赤、緑および青が水平方向に沿って並ぶいわゆるストライプ配列である。ストライプ配列の画面において、マトリクス表示の各列に対応する垂直セル列に属するセルの発色は同じであり、隣接する垂直セル列の間では発色が異なる。各垂直セル列には１本のアドレス電極が対応する。すなわち、各アドレス電極には赤、緑および青の３色のうちのいずれか１色が対応する。
【０００４】
プラズマディスプレイパネルを製造する工場では、完成したプラズマディスプレイパネルに対する点灯検査が行われる。従来の検査では、全セルを点灯させる全面白色表示が行われ、その後またはその前に１つの色のセルを全て点灯させる単色表示が３色について順に行われる。これらの表示を検査担当者が観察してプラズマディスプレイパネルの良否を判別する。全面白色表示中には、主として暗いセル（暗点）および目立って明るいセル（輝点）の有無が調べられる。そして、単色表示中には、表示色に対応したアドレス電極の断線の有無が調べられる。
【０００５】
白色表示による点灯検査に関して、ＣＣＤカメラを用いて検査を自動化することが特許文献１において提案されている。また、同文献には、プラズマディスプレイパネルのエージングに際して、矩形状のプラズマディスプレイパネルの４辺に沿ってそれぞれ配置された４つの端子群に４つの長尺の外部電極（電極バー）の１つずつを接触させた状態で、これら４つの電極バー及び端子群を介して、プラズマディスプレイパネルの電極に電圧を印加することが記載されている。
【特許文献１】特開２００６−１００１２２号公報
【発明の開示】
【発明が解決しようとする課題】
【０００６】
単色表示を行うには、総数が画面の水平解像度の３倍である多数のアドレス電極をそれらに対応するセルの色ごとに個別に制御しなければならない。白色表示とは違って多数のアドレス電極を共通接続して一括に駆動回路と接続することができない。このため、点灯検査に際しては、アドレス電極の端子群に対応した端子群を有する配線板を用いてアドレス電極と駆動回路とが接続される。使用される駆動回路はアドレス電極に対する個別の電位制御を可能にするドライバを備えている。一般に、端子の配列間隔は２００μｍ以下と小さいので、プラズマディスプレイパネルに対する配線板の位置決めは難しい。今後、画面の高精細化が進むと、ますます位置決めは難しくなり位置決め作業の所要時間が長くなる。
【０００７】
また、アドレス電極の断線の有無を調べるために３色について１色ずつ計３回の単色表示を行うには、それ相応の時間が必要である。
【０００８】
さらに、適応するドライバが異なる複数機種のプラズマディスプレイパネルを検査する場合に、機種に応じて駆動回路を交換しなければならなかった。
【０００９】
本発明はこのような事情に鑑みてなされ、複数のアドレス電極に対する個別の電位制御を不要にすることを目的としている。
【課題を解決するための手段】
【００１０】
上記目的を達成する方法は、ガス封入空間を挟む第１基板および第２基板、前記第１基板上に平行に配列されて画面内にマトリクス表示の表示ラインを定める複数の維持電極および複数の走査維持電極、前記維持電極および走査維持電極を被覆する第１絶縁体層、前記第２基板上に配列されて前記維持電極および走査維持電極と交差する複数のアドレス電極、および前記アドレス電極を被覆する第２絶縁体層を有し、前記複数のアドレス電極のそれぞれに前記画面を構成する発色の異なる３種のセルのうちの１種のセルが対応するプラズマディスプレイパネルの点灯検査方法であって、前記画面の点灯状態の良否を判定するために、前記画面内の全セルを点灯すべきセルとする２値画像である第１サブフレームと前記画面内の全セルを点灯すべきでないセルとする２値画像である第２サブフレームの両方または片方から構成されるフレームを繰り返し表示し、その際に前記第１サブフレームを表示するために、前記画面内の各セルにおける走査維持電極とアドレス電極との間に書込みアドレッシングのための壁電荷を形成するアドレッシング準備操作と、前記複数のアドレス電極を一括して非選択電位に保った状態で前記画面内のセルにライン順次にスキャンパルスを印加する全面アドレッシング操作と、前記画面内のセルに一斉にサステインパルスを印加するサステイン操作とを順に行い、かつ前記第２サブフレームを表示するために、前記画面内の各セルにおける走査維持電極とアドレス電極との間に残存する壁電荷を減少させるリセット操作と、前記全面アドレッシング操作と、前記サステイン操作とを順に行うものである。点灯状態の良否の判定手段は任意である。作業者が目視の結果に基づいて判定することができ、画像認識技術を用いて判定を自動化することもできる。
【００１１】
この方法による点灯検査では、画面内の全セルを対象とした点灯制御が連続的に行われる白色表示と、非点灯表示が連続的に行われる黒色表示と、点灯制御が断続的に行われかつ点灯制御と次の点灯制御との間に非点灯制御が行われる灰色表示とにおける良否判定を行うことができる。灰色表示における表示色は白色表示よりも暗い白色（灰色）、すなわち中間調の無彩色である。ただし、画面の明るさは単位時間あたりの点灯回数に依存する。なお、ここでいう点灯制御とは、セルが正常である場合にそれが点灯するような駆動制御を意味する。非点灯制御とは、セルが正常であったとしてもそれが点灯しないような駆動制御を意味する。全セルが正常であれば、点灯制御が行われる度に全セルが点灯する。
【００１２】
画面全体にわたって明るさおよび表示色が一様であれば点灯状態は良好であり、プラズマディスプレイパネルを良品とすることができる。これに対して、顕著な暗点または輝点があれば点灯状態は不良である。また、電極の断線によって現れる水平方向または垂直方向の暗い線があった場合も点灯状態は不良である。
【００１３】
アドレス電極の断線は表示色の乱れとして現れる。アドレス電極の断線がなければ、隣接する３列の組の表示色は上述のように無彩色である。しかし、当該組の中の例えば赤の列に対応するアドレス電極が断線していると、赤のセルは点灯しないので、当該組の表示色は赤の補色（シアン）となる。そして、この表示色は有彩色である。当該組の中の２列が点灯しない場合には、当該組の表示色は残りの一つの列の発色となる。これも有彩色である。無彩色の背景に有彩色の線が現れる表示色の乱れは、目視において目立つので見つけ易い。有彩色が何色かを判別することで、どの発色に対応するアドレス電極が断線したかがわかる。
【発明の効果】
【００１４】
本発明によれば、色の異なる３種の単色表示を順に行うことなくアドレス電極の断線の有無を確認することができるので、複数のアドレス電極に対する個別の電位制御が必要な単色表示を省略することができる。
【００１５】
また、複数のアドレス電極を電気的に共通化して駆動回路に接続してもよいので、接続作業が容易になるとともに、アドレス電極の電位を切り換える必要がないので、アドレス電極用のドライバが不要になる。
【発明を実施するための最良の形態】
【００１６】
プラズマディスプレイパネルを製造する工場において、作業者が図１に示す検査用表示装置１を使用して目視による点灯検査を行う。検査用表示装置１は、所定のスイッチ操作または外部装置からの信号入力に呼応して後述のフレームを表示する。作業者は、フレームを表示している状態の画面を観察し、セルの欠陥や電極の断線といった不具合の有無を判定する。
【００１７】
検査対象であるＡＣ型のプラズマディスプレイパネル２は、カラー表示の可能な画面５０を有する。画面５０において、交互に配列された維持電極である第１の表示電極Ｘおよび走査維持電極である第２の表示電極Ｙが水平方向に延び、アドレス電極Ａが垂直方向に延びる。表示電極Ｘおよび表示電極Ｙは画面５０内に表示ラインを定め、各表示ラインにおいて面放電形式の表示放電を生じさせるための電極対を構成する。表示電極対とアドレス電極Ａとの交差部にそれぞれセルが画定される。各アドレス電極Ａには発色の異なる３種のセルのうちの１種のセルが対応する。画面５０の仕様が例えばフルハイビジョン仕様である場合、表示ライン数は垂直解像度と同数の１０８０で、アドレス電極Ａの総数は水平解像度の３倍の５７６０である。
【００１８】
検査用表示装置１は、表示電極Ｘに電圧パルスを印加するＸドライバ６１、表示電極Ｙに電圧パルスを印加するＹドライバ６２、ドライバによるパルス印加を制御するコントローラ６５、放電のための電力を供給する電源回路６６、およびプラズマディスプレイパネル２との電気的接続のためのコンタクト部材６７，６８，６９を備える。検査用表示装置１は、アドレス電極Ａにパルスを印加するドライバを有していない。Ｙドライバ６２は、アドレッシング準備操作またはリセット操作のためのパルスを印加するリセット回路６２０、スキャンパルスを印加するスキャンニング回路６２１およびサステインパルスを印加するサステイン回路６２２を有する。コントローラ６５は、後述する第１サブフレームを表示するための制御部６５１および第２サブフレームを表示するための制御部６５２を有する。制御部６５１，６５２は、あらかじめ波形データを記憶しているメモリを参照してプラズマディスプレイパネル２に所定の駆動電圧を印加するようにＸドライバ６１およびＹドライバ６２を制御する。
【００１９】
Ｘドライバ６１はコンタクト部材６７を介して複数の表示電極Ｘを一括に駆動する。コンタクト部材６７は金属繊維からなる導体であり、プラズマディスプレイパネル２の水平方向の一方側の端縁に沿って配置された表示電極Ｘの端子列に対応する長さをもつ。コンタクト部材６７を端子列に重ねることによって、多数の表示電極Ｘが電気的に共通化される。
【００２０】
Ｙドライバ６２はコンタクト部材６８を介して複数の表示電極Ｙを個別に駆動する。コンタクト部材６８は、各表示電極Ｙに対応する導体パターンを有した配線板であり、プラズマディスプレイパネル２の水平方向の他方側の端縁に沿って配置された表示電極Ｙの端子列に重ねられる。各表示電極Ｙは個別にＹドライバ６２と接続される。
【００２１】
多数のアドレス電極Ａは金属繊維からなるコンタクト部材６９を介して一括に非選択電位に保たれる。本例では、非選択電位は接地電位、厳密には電源回路６６の接地端子の電位である。コンタクト部材６９はプラズマディスプレイパネル２の垂直方向の片側の端縁に沿って配置されたアドレス電極Ａの端子列に対応する長さをもつ。コンタクト部材６９を端子列に重ねることによって、全てのアドレス電極Ａが電気的に共通化され、接地端子に接続される。
【００２２】
点灯検査の準備として、検査用表示装置１に搬入されたプラズマディスプレイパネル２の周辺部の所定位置にコンタクト部材６７，６８，６９が重ねられ、例えば図示しないクリップでプラズマディスプレイパネル２に固定される。このとき、コンタクト部材６７およびコンタクト部材６９については、それぞれが共通化すべき端子群と接触すればよく、高精度の位置決めは不要である。特にアドレス電極Ａの端子の配列ピッチは表示電極Ｘ，Ｙの端子の配列ピッチよりも小さいので、アドレス電極Ａの端子群を電気的に一括してもよいということは、検査用表示装置１とプラズマディスプレイパネル２との接続の迅速化に貢献する。
【００２３】
点灯検査において、プラズマディスプレイパネル２が接続された検査用表示装置１は、図２に示されるフレームＦを例えばフレームレート１／６０で繰り返し表示する。フレームＦは、画面内の全セルを点灯すべきセルとする２値画像である第１サブフレームＳＦ１と、全セルを点灯すべきでないセルとする２値画像である第２サブフレームＳＦ２とから構成される。第１サブフレームＳＦ１の数と第２サブフレームＳＦ２の数は等しく、フレームＦのサブフレーム数は偶数である。
【００２４】
例えば、フレームＦは、５個の第１サブフレームＳＦ１と５個の第２サブフレームＳＦ２の計１０個のサブフレームで構成される。約１６．７ｍｓのフレーム周期Ｔｆが均等に１０分割され、各第１サブフレームＳＦ１と各第２サブフレームＳＦ２とに約１．６７ｍｓの時間が割り当てられる。そして、第１サブフレームＳＦ１および第２サブフレームＳＦ２は一つずつ交互に表示される。これにより、画面５０に欠陥がなければ、全体的な目視観察において画面５０は白色と黒色の中間の明るさをもつ一様な無彩色の面に見える。
【００２５】
第１サブフレームＳＦ１に割り当てられる時間はアドレッシング準備期間ＴＲ１とアドレス期間ＴＡとサステイン期間ＴＳとに区分され、第２サブフレームＳＦ２に割り当てられる時間はリセット期間ＴＲ２とアドレス期間ＴＡとサステイン期間ＴＳに区分される。第１サブフレームＳＦ１と第２サブフレームＳＦ２との間で、区分された３つの期間のそれぞれの長さは等しく、図３に示されるようにアドレス期間ＴＡおよびサステイン期間ＴＳの駆動波形は共通である。駆動波形が異なるのは第１サブフレームＳＦ１のアドレッシング準備期間ＴＲ１と第２サブフレームＳＦ２のリセット期間ＴＲ２との間である。
〔第１サブフレームＳＦ１の駆動シーケンス〕
アドレッシング準備期間ＴＲ１において、画面５０内の各セルにおける表示電極Ｙ（走査維持電極）とアドレス電極Ａとの間に書込みアドレッシングのための壁電荷を形成するアドレッシング準備操作が行われる。図３に例示されるアドレッシング準備操作は、いわゆる鈍波リセットの手法を用いて、操作の終了時点で所定量の壁電荷が残存するように壁電荷を制御する。鈍波リセットは、ランプ波形パルスに代表される鈍波パルスの印加によって各セル内で微弱な放電を連続的に生じさせ、それによって誘電体における壁電荷量を調整する。詳しくは図３のように、表示電極Ｙに対して正のランプ波パルスＰｒ１および負のランプ波パルスＰｒ２が順に印加される。このとき、表示電極間電圧の上昇を早めるために表示電極Ｘにオフセットバイアスが与えられる。アドレス電極Ａの電位は接地電位である。
【００２６】
ランプ波パルスＰｒ１の印加によって表示電極Ｙと表示電極Ｘとの間および表示電極Ｙとアドレス電極Ａとの間に壁電荷が形成される。ランプ波パルスＰｒ１が正極性であるので、表示電極Ｙの側の壁電荷の極性は負で、表示電極Ｘの側およびアドレス電極Ａの側の壁電荷の極性は正である。壁電荷量に応じた壁電圧が各電極間に生じる。
【００２７】
２番目のランプ波パルスＰｒ２の印加によって、以前に形成された壁電荷が減少する。壁電荷の減少は微小放電が始まってからランプ波パルスＰｒ２の印加終了まで続く。ランプ波パルスＰｒ２の印加は、壁電荷の消去を目的としておらず、アドレス期間ＴＡでのスキャンパルスＰｙの印加に呼応して放電が生じるのに必要な量の壁電荷が残存する時点で終了する。なお、ランプ波パルスＰｒ２の印加に際して、表示電極Ｘはランプ波パルスＰｒ２の印加終了時点の表示電極Ｙとの間の電位差が、第２サブフレームＳＦ２のランプ波パルスＰｒ３の印加終了時点の表示電極Ｙとの間の電位差と同程度となるようにバイアスされる。
【００２８】
アドレス期間ＴＡにおいては、表示ライン数と同数の表示電極Ｙに対して配列の先頭の１番目から最後のｎ番目まで１本ずつ順に負極性のスキャンパルスＰｙが印加され、それによって表示ラインが順番に選択される。アドレス電極Ａの電位はアドレス期間ＴＡの全体にわたって接地電位であるが、アドレス期間ＴＡの開始時点で残存する壁電荷による壁電圧にスキャンパルスＰｙの印加による電圧が重畳するので、スキャンパルスＰｙが印加される毎に、選択された表示ラインのセルにおける表示電極Ｙとアドレス電極Ａとの間でアドレス放電が生じる。このアドレス放電がトリガーとなって表示電極Ｙと適切にバイアスされた表示電極Ｘとの間で放電が生じ、表示電極対を覆う誘電体にサステインに必要な壁電荷が形成される。つまり、第１サブフレームＳＦ１のアドレス期間ＴＡでは、全てのセルが次のサステイン期間ＴＳで点灯するように壁電荷を制御する書き込み形式の全面アドレッシング操作が行われる。
【００２９】
サステイン期間ＴＳにおいては、表示電極Ｙと表示電極Ｘとに交互にサステインパルスＰｓが印加される。サステインパルスＰｓの振幅は面放電開始電圧より若干低いサステイン電圧(Ｖｓ)である。第１サブフレームＳＦ１のサステイン期間ＴＳでは、画面５０内のセルが正常であれば、サステインパルスＰｙの印加ごとに表示電極間の放電が生じてセルが点灯する。点灯したセルはそれが有する蛍光体で決まる表示色を呈する。
〔第２サブフレームＳＦ２の駆動シーケンス〕
リセット期間ＴＲ２において、画面５０内の各セルにおける表示電極Ｙ（走査維持電極）とアドレス電極Ａとの間に残存する壁電荷を減少させるリセット操作が行われる。当然ながらリセット操作においてもアドレス電極Ａの電位は接地電位である。図３に例示されるリセット操作は鈍波リセットの手法を用いており、上述のアドレッシング準備操作に類似している。駆動波形の上でのアドレッシング準備操作との相違点は、アドレッシング準備操作のランプ波パルスＰｒ２に代えて、リセット期間ＴＲ２ではランプ波パルスＰｒ３を印加する点である。リセット操作のランプ波パルスＰｒ３の到達電圧Ｖ２２の絶対値は、アドレッシング準備操作のランプ波パルスＰｒ２の到達電圧Ｖ１２の絶対値よりも大きい。
【００３０】
ランプ波パルスＰｒ１の印加によって形成された壁電荷がランプ波パルスＰｒ３の印加によって減少する。壁電荷の減少は微小放電が始まってからランプ波パルスＰｒ３の印加終了まで続く。ランプ波パルスＰｒ３の印加は、壁電荷の実質的な消去を目的としており、アドレス期間ＴＡでのスキャンパルスＰｙの印加に呼応する放電が生じない程度まで壁電荷を減少させる。
【００３１】
アドレス期間ＴＡにおいては、第１サブフレームＳＦ１の場合と同様に、表示ライン数と同数の表示電極Ｙに対して配列の先頭の１番目から最後のｎ番目まで１本ずつ順に負極性のスキャンパルスＰｙが印加される。しかし、アドレス電極Ａは接地されたままであってアドレス電極Ａにパルスは印加されず、しかもスキャンパルスＰｙの印加による電圧に重畳する壁電圧は零かそれに近いので、表示電極Ｙとアドレス電極Ａとの間のセル電圧は放電開始電圧を超えない。アドレス放電が生じないので、表示電極対を覆う誘電体にはサステインに必要な壁電荷が形成されず、壁電荷量はリセット操作の終了時とほとんど変わらない。つまり、第２サブフレームＳＦ２のアドレス期間ＴＡでは、全てのセルが次のサステイン期間ＴＳで点灯しないように壁電荷の初期化状態を保持する全面アドレッシング操作が行われる。
【００３２】
サステイン期間ＴＳにおいては、第１サブフレームＳＦ１の場合と同様に、表示電極Ｙと表示電極Ｘとに交互にサステインパルスＰｓが印加される。画面５０内のセルが正常であれば点灯せず、正常でなくても通常は点灯しない。ただし、何らかの要因で余剰点灯が生じる場合はある。
【００３３】
次に図４を参照してアドレッシング準備操作とリセット操作との差異をさらに詳しく説明する。図４（Ａ）および（Ｂ）では、表示電極Ｙとアドレス電極Ａとの電極間であるＹＡ電極間における印加電圧ＶｄYA、壁電圧ＶｗYAおよびセル電圧ＶｃYAの推移が描かれている。セル電圧ＶｃYAは印加電圧ＶｄYAと壁電圧ＶｗYAの和である。図中の各電圧の極性はアドレス電極Ａを基準としており、アドレス電極Ａの側の電位に対して表示電極Ｙの側の電位が高い場合が正、逆の場合が負である。
【００３４】
図４（Ａ）において、アドレッシング準備期間ＴＲ１の直前のサステイン期間が非点灯期間であるので、アドレッシング準備期間ＴＲ１の開始時点の壁電圧ＶｗYAは図中に鎖線で示されるとおりほぼ零である。したがって、図示を省略したがアドレッシング準備期間ＴＲ１の開始時点のセル電圧ＶｃYAはほぼ印加電圧ＶｄYAと等しい。ランプ波パルスＰｒ１（図３参照）の印加によって印加電圧ＶｄYAにほぼ等しいセル電圧ＶｃYAがＹＡ電極間の放電開始電圧＋ＶｆYAを超えた時点から微小放電が始まる。その後、印加電圧ＶｄYAの上昇を打ち消すように壁電荷が形成され、セル電圧ＶｃYAが放電開始電圧ＶｆYAにほぼ保たれる。ランプ波パルスＰｒ１に続いて反対極性のランプ波パルスＰｒ２が印加されると、微小放電によって壁電荷が徐々に減少するものの、上述したとおりランプ波パルスＰｒ２の到達電圧が低めに選定されているので、所定量の壁電荷が残存する。
【００３５】
アドレッシング準備期間ＴＲ１に続くアドレス期間ＴＡでは、ＹＡ電極間に負の壁電圧ＶｗYAが生じている状態で負のスキャンパルスＰｙが印加される。これによりセル電圧ＶｃYAが放電開始電圧−ＶｆYAを超えてアドレス放電が生じる。アドレス放電の発生に壁電荷を利用するので、スキャンパルスＰｙの振幅を放電開始電圧−ＶｆYAよりも大きくする必要はない。
【００３６】
一方、図４（Ｂ）において、リセット期間ＴＲ２の開始時点では、アドレス電極Ａの近傍の壁電荷はほぼ零であるが、直前のサステイン期間が点灯期間であって表示電極Ｙの近傍に壁電荷が残存するので、ＹＡ電極間に正の壁電圧ＶｗYAが生じている。リセット期間ＴＲ２では、まずランプ波パルスＰｒ１（図３参照）の印加によって壁電圧ＶｗYAの極性を反転させかつアドレッシング準備操作と同様に表示電極Ｙの近傍に負の壁電荷を形成する。次にランプ波パルスＰｒ３（図３参照）の印加によって壁電荷を十分に減少させる。
【００３７】
リセット期間ＴＲ２に続くアドレス期間ＴＡでは、ＹＡ電極間の壁電圧ＶｗYAがほぼ零の状態でスキャンパルスＰｙが印加される。セル電圧ＶｃYAは放電開始電圧−ＶｆYAを超えないので、アドレス放電は生じない。
【００３８】
以上のように第１サブフィールドＳＦ１および第２サブフレームＳＦ２に適用されるライン順次のアドレッシング操作を含む駆動シーケンスは、プラズマディスプレイパネル２を任意の映像の表示に使用するときの駆動シーケンスに似ており、実使用時の点灯状態を確認する上で有用であるとともに、実使用のための駆動デバイスを点灯検査に流用することができるという利点を有する。フレームＦの表示では全セルを一括して点灯させるようにまたは点灯させないように駆動するので、ライン順次の表示ライン選択に代えて全表示ラインに一斉にスキャンパルスＰｙを印加することが原理的には可能である。しかし、それを行うと、実使用時の駆動形態と大きく異なってしまう。
【００３９】
アドレッシング操作の所要時間はスキャンパルス幅と表示ライン数とに依存する。例えばスキャンパルス幅が１μｓで表示ライン数が１０８０である場合の１サブフレームあたりのアドレッシング時間は１．０８ｍｓである。フレームＦが１０サブフレーム編成である場合において、１サブフレームに対する割り当て時間は約１．６７ｍｓであるので、例えばリセット操作およびサステイン操作に順に０．２７ｍｓ、０．３２ｍｓを割り当てることができる。表示電極間に交番極性電圧を印加する一対のサステインパルスを１パルスとみなしたパルス幅を１０μｓとすると、０．３２ｍｓのサステイン期間ＴＳにおいて６４回のサステイン放電を生じさせることができる。
【００４０】
プラズマディスプレイパネル２の点灯検査を担当する作業者は、検査用表示装置１がフレームＦを繰り返し表示している状態の画面５０を例えば数分程度の時間をかけて観察し、セルの欠陥や電極の断線といった不具合の有無を調べる。画面５０の全体にわたって明るさおよび表示色が一様であれば点灯状態は良好であり、顕著な暗点または輝点があれば点灯状態は不良である。暗点の多くは表示電極のパターニング不良によって生じる。輝点の主な原因はガス放電空間を区画する隔壁の欠けである。あらかじめプラズマディスプレイパネル２の良否判定の基準が定められており、作業者は観察結果を基準に照らしてプラズマディスプレイパネル２の品質の良否を決める。
【００４１】
アドレス電極の断線は表示色の乱れとして現れるので見つけ易い。アドレス電極の断線がなければ、赤、緑および青のセルが点灯するので、表示色は上述のように中間調の無彩色である。しかし、例えば青のセルに対応するアドレス電極Ａが断線していると、断線したアドレス電極Ａの付近の表示色は青の補色（赤と緑の混色）となる。緑のセルに対応するアドレス電極Ａが断線していると、断線したアドレス電極Ａの付近の表示色は緑の補色（赤と青の混色）となる。隣接するアドレス電極Ａが共に断線していると、断線したアドレス電極Ａの付近の表示色は３色のうちのいずれかの単色となる。いずれにしても、画面５０において局部的に表示色が有彩色になる。なお、１本のアドレス電極Ａとその両隣のものを合わせた３本のアドレス電極Ａが断線している場合には、画面５０のうちのこれらアドレス電極Ａに対応する部分が暗い線として見える。
【００４２】
図５はプラズマディスプレイパネル２のセル構造の一例を示す。プラズマディスプレイパネル２は前面板１０、背面板２０および図示しない放電ガスから構成される。図では内部構造を解り易くするために前面板１０と背面板２０とを分離させて描いてある。
【００４３】
前面板１０は、ガラス基板１１、第１の表示電極（維持電極）Ｘ、第２の表示電極（走査維持電極）Ｙ、誘電体層１７、および誘電体層１７に対するスパッタリングを防ぐ保護膜１８を備える。表示電極Ｘ，Ｙのそれぞれは透明導体と給電のバスである金属帯とからなる。誘電体層１７および保護膜１８からなる第１の絶縁体は、画面の全体にわたって拡がり、表示電極Ｘ，Ｙを被覆する。
【００４４】
背面板２０は、ガラス基板２１、アドレス電極Ａ、第２の絶縁体としての誘電体層２２、格子状の隔壁２３、赤（Ｒ）の蛍光体２６、緑（Ｇ）の蛍光体２７、および青（Ｂ）の蛍光体２８を備える。隔壁２３は、アドレス電極Ａと平行な複数の垂直壁２４と、表示電極Ｘおよび表示電極Ｙと平行な複数の水平壁２５とから構成される。
【００４５】
蛍光体の配置で決まる画面の色配列は、水平方向にＲ，Ｂ，Ｇの順に３色が繰り返し並ぶストライプ配列である。マトリクス表示の各列に対応する垂直セル列ではセルの発色は同じであり、隣接する垂直セル列の間では発色が異なる。各アドレス電極Ａには赤、緑および青の３色のうちのいずれか１色が対応する。
【００４６】
なお、表示電極Ｘ，Ｙの配列は広く知られる２つの形態のどちらでもよい。１つは、図示のように表示ラインに一対ずつ表示電極を配列して隣接する表示ライン間の電極間隙を各表示ラインにおける電極間隙（面放電ギャップ）よりも広くするものである。他の１つは、表示電極を等間隔に配列して全ての表示電極間隙を面放電ギャップとするものである。また、隔壁パターンは図示の格子パターンに限らずストライプパターンでもよい。
【００４７】
以上の実施形態によれば、全面点灯画像である第１サブフレームＳＦ１と全面非点灯画像である第２サブフレームＳＦ２とを交互に表示することによって中間調を表示するので、駆動周波数を低くして全面点灯画像のみを表示する場合と比べて、非点灯であるべきセルが点灯セルからの誘導で点灯する現象（余剰点灯）が生じにくく電極の断線を見つけ易い。
【００４８】
また、ランプ波パルスＰｒ２とランプ波パルスＰｒ３とでランプ波の傾きを共通とし傾斜部分の時間の長短で到達電圧Ｖ１２と到達電圧Ｖ２２とを異ならせたので、比較的に簡単な構成の回路でアドレッシング準備操作およびリセット操作を実現できる。Ｙドライバ６２のリセット回路６２０は、正のランプ波パルスＰｒ１を出力するブロックと負のランプ波パルスＰｒ２，Ｐｒ３を出力するブロックとを備え、各ブロックは例えばキャパシタとそれを充電する定電流源とを有する。コントローラ６５は定電流源のオンオフによって到達電圧を制御する。
【００４９】
上述の実施形態において、フレームＦにおける第１サブフレームＳＦ１と第２サブフレームＳＦ２の組合せは任意である。灰色表示による検査のためのフレームＦのサブフレーム編成はサブフレーム数が２以上であって第１サブフレームＳＦ１および第２サブフレームＳＦ２を含むものであればよい。第１サブフレームＳＦ１の数と第２サブフレームＳＦ２の数とが同数であるのが望ましいが、異なっていてもよい。必ずしも第１サブフレームＳＦ１と第２サブフレームＳＦ２とを一つずつ交互に表示する必要はなく、２以上の第１サブフレームＳＦ１を続けて表示した後に第２サブフレームＳＦ２を表示したり、逆に２以上の第２サブフレームＳＦ２を続けて表示した後に第１サブフレームＳＦ１を表示したりする表示順序を採用することができる。また、第１サブフレームＳＦ１と第２サブフレームＳＦ２とに同じ長さの時間を割り当てる必要もない。サステイン期間ＴＳの長さを第１サブフレームＳＦ１と第２サブフレームＳＦ２とで異ならせてもよい。
【００５０】
また、フレームＦの全てのサブフレームを第１サブフレームＳＦ１のみで編成することにより白色表示が可能であり、全てのサブフレームを第２サブフレームＳＦ２のみで編成することにより黒色表示が可能である。第１サブフレームＳＦ１と第２サブフレームＳＦ２の組合せを適宜に切り替えることにより、灰色表示だけでなく白色表示および黒色表示における表示検査もあわせて可能となる。
【００５１】
作業者が点灯状態の良否を判定する例を挙げたが、画像認識技術を用いて検査を自動化することができる。検査位置へのプラズマディスプレイパネル２のセッティングおよびコンタクト部材６７〜６９を用いて行う検査用表示装置１とプラズマディスプレイパネル２との電気的接続を自動化してもよいし、作業者が行ってもよい。
【００５２】
図示の駆動波形は一例であり、振幅、極性およびタイミングを様々に変更することができる。例えば、サステイン期間ＴＳにおいて、表示電極Ｘと表示電極Ｙとに互いに極性の異なるパルスを同時に印加することによって表示電極間にサステイン電圧を印加してもよい。サステイン放電の放電確率を高めるため、サステイン期間の初期のパルス振幅やパルス幅を大きくしてもよい。アドレス電極Ａを２分割して２表示ラインを同時に選択するダブルスキャン方式を採用することができる。ランプ波パルスＰｒ２，Ｐｒ３の到達電圧Ｖ１２，Ｖ２２を選定するにあたって、ランプ波の傾きを異ならせてもよい。非選択電位は接地電位に限らず、零ボルトに近い正または負の電位であってもよい。
【図面の簡単な説明】
【００５３】
【図１】本発明の実施形態に係る検査用表示装置の構成の概略を示す図である。
【図２】検査用表示装置が表示するフレームの構成を示す図である。
【図３】駆動波形の一例を示す図である。
【図４】アドレッシング準備操作およびリセット操作における壁電圧の変化を示す図である。
【図５】プラズマディスプレイパネルのセル構造の一例を示す図である。
【符号の説明】
【００５４】
１    検査用表示装置
２    プラズマディスプレイパネル
１７    誘電体層（第１絶縁体層）
１８    保護膜（第１絶縁体層）
２２    誘電体層（第２絶縁体層）
Ｘ    第１の表示電極（維持電極）
Ｙ    第２の表示電極（走査維持電極）
Ａ    アドレス電極
５０    画面
ＳＦ１    第１サブフレーム
ＳＦ２    第２サブフレーム
Ｆ    フレーム
ＴＲ１    アドレッシング準備期間
ＴＲ２    リセット期間
ＴＡ    アドレス期間
ＴＳ    サステイン期間
Ｐｙ    スキャンパルス
Ｐｓ    サステインパルス
６９    コンタクト部材（導体）
６１    Ｘドライバ
６２    Ｙドライバ
６５    コントローラ
６５１，６５２    制御部
【図１】
2010073596.tif 000003
【図２】
2010073596.tif 000004
【図３】
2010073596.tif 000005
【図４】
2010073596.tif 000006
【図５】
2010073596.tif 000007